(57)【要約】【課題】メモリ地点の登録後、その登録内容によって表示が煩雑になるのを防止し、使用されるものを整理して表示し、しかも、そこから削除した過去に登録されていたメモリ地点を再復帰可能としたこと。【解決手段】メモリ地点登録部２１１に車両の行き先となる目的地となる地図上の特定のメモリ地点及び当該登録したメモリ地点を特定する索引情報も同時に登録し、それを探索リスト表示部２０２で表示し、そこから車載ナビゲーション装置の目的地を設定自在とし、索引情報使用記憶部２１２でメモリ地点の索引情報によって車両の目的地となり得た年月日を記憶し、情報移動部２１３で索引情報使用記憶部２１２の前記日付の記憶内容から、所定の期間内に使用されていないメモリ地点登録部２１１に登録したメモリ地点及びそれを特定する索引情報を保持ホルダ２１４に移動させて格納する。必要に応じて保持ホルダ２１４からメモリ地点登録部２１１に復帰移動させ、またはそこで消去する。【選択図】図２
2009288192.tif 000002
【特許請求の範囲】
【請求項１】
車両の出発地から目的地の間のルートを探索すると共に、該探索されたルートに従ってルート案内する車載ナビゲーション装置において、
前記車両の目的地となる地図上の特定の地点をメモリに登録するとともに、当該登録したメモリ地点を特定する索引情報も同時にメモリに登録するメモリ地点登録部と、
前記メモリ地点登録部に登録された前記メモリ地点の索引情報を用いて表示し、前記車両の目的地として設定自在な探索リスト表示部と、
前記メモリ地点登録部に登録された前記メモリ地点の索引情報によって前記車両の目的地となり得た日付を記憶する索引情報使用記憶部とを具備し、
前記日付を記憶する索引情報使用記憶部の記憶内容から、索引情報内容に応じて定めた所定の期間内に使用されていない前記メモリ地点登録部に登録した前記メモリ地点及びそれを特定する索引情報を、その索引情報の内容に応じた期限によって前記探索リスト表示部で表示しないようにすることを特徴とする車載ナビゲーション登録地点消去処理装置。
【請求項２】
前記探索リスト表示部で表示しないようにする処理は、前記日付を記憶する索引情報使用記憶部の記憶内容から、所定の期間内に使用されていないメモリ地点登録部に登録した前記メモリ地点及びそれを特定する索引情報を前記探索リスト表示部で表示することがないように前記メモリ地点登録部から移動させる情報移動部と、
前記情報移動部によって前記メモリ地点登録部から移動された前記メモリ地点及びそれを特定する索引情報を一時的に格納し、必要に応じて前記メモリ地点登録部に復帰移動自在で、かつ、消去自在な保持ホルダと
を具備することを特徴とする請求項１に記載の車載ナビゲーション登録地点消去処理装置。
【請求項３】
前記索引情報使用記憶部は、前記車両の目的地となり得た年月日から、過去の使用回数及びその使用間隔を算出することを特徴とする請求項１または請求項２に記載の車載ナビゲーション登録地点消去処理装置。
【請求項４】
前記索引情報使用記憶部は、前記車両の目的地となり得た日付を最新の使用年月日としたことを特徴とする請求項１または請求項２に記載の車載ナビゲーション登録地点消去処理装置。
【請求項５】
前記所定の期間内に使用されていないメモリ地点登録部に登録した前記メモリ地点及びそれを特定する索引情報を前記索引情報使用記憶部から移動させる情報移動部は、前記メモリ地点登録部に登録した前記メモリ地点を特定する索引情報の内容によって移動させる期間を複数に設定できることを特徴とする請求項２乃至請求項４の何れか１つに記載の車載ナビゲーション登録地点消去処理装置。
【請求項６】
前記所定の期間内に使用されていないメモリ地点登録部に登録した前記メモリ地点及びそれを特定する索引情報を前記索引情報使用記憶部から移動させる情報移動部は、前記メモリ地点を特定する索引情報の内容に応じて定めた初期値の期間内に前記メモリ地点登録部に登録した前記メモリ地点が使用された場合には、その移動までの期間を所定の期間だけ延ばすことを特徴とする請求項２乃至請求項５の何れか１つに記載の車載ナビゲーション登録地点消去処理装置。
【請求項７】
前記所定の期間内に使用されていないメモリ地点登録部に登録した前記メモリ地点及びそれを特定する索引情報を前記メモリ地点登録部から移動させる情報移動部は、ディスプレイ上で表示し、その可否を操作者に判断させることを特徴とする請求項２乃至請求項６の何れか１つに記載の車載ナビゲーション登録地点消去処理装置。
【請求項８】
前記所定の期間内に使用されていないメモリ地点登録部に登録した前記メモリ地点及びそれを特定する索引情報を前記メモリ地点登録部から移動させる情報移動部は、自宅及び特別メモリ領域の内容については移動の対象から除外することを特徴とする請求項２乃至請求項７の何れか１つに記載の車載ナビゲーション登録地点消去処理装置。
【請求項９】
前記メモリ地点の索引情報によって前記車両の目的地となり得た日付を記憶する索引情報使用記憶部は、前記メモリ地点を前記車両の目的地と設定されるものの他、前記メモリ地点から５００ｍ以内を通過する場合も、前記車両の目的地となり得たと見做して日付を記憶することを特徴とする請求項１乃至請求項８の何れか１つに記載の車載ナビゲーション登録地点消去処理装置。
【発明の詳細な説明】
【技術分野】
【０００１】
本発明は、車両の出発地から目的地の間のルートを探索すると共に、該探索されたルートに従ってルート案内する車載ナビゲーション装置の「メモリ地点」の登録後の処理に関するもので、メモリ地点の性質によって削除するタイミングを設定自在な車載ナビゲーション登録地点消去処理装置に関するものである。
【背景技術】
【０００２】
車載ナビゲーション装置のメモリ地点の登録は、例えば、表示画面に表示される地図上の任意の地点（例えば、自宅，友人宅，よく利用する施設等）を指定して、その場所をメモリ地点として登録するとともに、その登録したメモリ地点に対応させて名称や電話番号等の地点情報を登録し、このメモリ地点が使用者により呼び出されたときや、車両の走行によって表示画面上の地図に表示された時などに、登録された地点情報を画面上に表示して情報提供を行うものである。
【０００３】
具体的には、特許文献１は、例えば、表示画面に表示される地図上の任意の地点をメモリ地点として登録するとともに、その登録したメモリ地点に関する情報を登録するメモリ地点登録処理において、使用者によって指定された地点に存在する施設の種別を示す施設種別図形を使用者に提示し、その提示した施設種別図形が使用者によって選択されたときにはその選択された図形とメモリ地点とを関連付けて登録するものである。
【特許文献１】特開２００５−３２１２７１
【発明の開示】
【発明が解決しようとする課題】
【０００４】
ところが、特許文献１には、表示画面に表示された地図上の任意の地点をメモリ地点として登録し、その登録したメモリ地点に関する情報を登録するメモリ地点登録を行う技術を開示している。殊に、登録に熱心な使用者は、メモリ地点登録が多くなり、目的のメモリ地点を探すのに手間がかかることになる。
登録されたメモリ地点登録は、消去処理によって個々に消去することができ、また、一度に一括して全登録を消去することもできるが、一度消去すると再登録の必要性があった。
一方、パソコンのＷｉｎｄｏｗｓの「デスクトップクリーンアップ」機能は、デスクトップ上のアイコンの使用状況を記録して、定期的に最近使用していないアイコンの削除を提案するものである。各アイコンのアクセスした日付をチェックし、６０日間使用しなかったアイコンを削除対象とする。削除対象のアイコンは、別の場所に移動され、必要な場合は、デスクトップに再び戻すことができ、使用者の利便性が考慮されている。
【０００５】
そこで、この発明はかかる不具合を解決し、パソコンの利便性を有効活用するためになされたもので、メモリ地点の登録後、その登録内容によって表示が煩雑になるのを防止し、使用されるものを整理して表示し、しかも、そこから削除した過去に登録されていたメモリ地点を再復帰可能とした車載ナビゲーション登録地点消去処理装置の提供を目的とするものである。
【課題を解決するための手段】
【０００６】
請求項１にかかる車載ナビゲーション登録地点消去処理装置は、メモリ地点登録部で車両の目的地となる地図上の特定の地点をメモリに登録するとともに、当該登録したメモリ地点を特定する索引情報も同時にメモリに登録し、探索リスト表示部で前記メモリ地点登録部に登録された前記メモリ地点の索引情報を用いて表示し、車載ナビゲーション装置の目的地として設定自在とする。また、索引情報使用記憶部で前記メモリ地点の索引情報によって前記車両の目的地となり得た日付（年月日）を記憶し、索引情報内容に応じて定めた所定の期間内に使用されていない前記メモリ地点登録部に登録した前記メモリ地点及びそれを特定する索引情報を前記探索リスト表示部で表示しないようにするものである。
ここで、上記メモリ地点登録部は、前記車両の目的地となる地図上の特定の地点をメモリに登録するとともに、当該登録したメモリ地点を特定する索引情報も同時に登録するものであり、索引情報としては、住所、施設名、電話番号、氏名等登録場所が特定できるものであればよい。
また、上記探索リスト表示部は、前記メモリ地点登録部に登録された前記メモリ地点の索引情報を表示し、そこから前記車両の行き先の目的地として設定自在なものであり、ここでは、登録したメモリ地点を特定する索引情報の表示が行えればよい。
そして、上記索引情報使用記憶部は、前記メモリ地点の索引情報によって前記車両の目的地となり得た日付を記憶するもので、最終（最新）日付のみでもよいし、使用のたびに日付を記憶するものでもよい。少なくとも、使用年月日が必要である。
更に、前記日付を記憶する索引情報使用記憶部の記憶内容から、索引情報内容に応じて定めた所定の期間内に使用されていない前記メモリ地点登録部に登録した前記メモリ地点及びそれを特定する索引情報を、前記探索リスト表示部で表示しないように、前記メモリ地点登録部から索引情報の内容（ジャンル）に応じて消去するもの、または消去しないで、前記メモリ地点登録部から索引情報の内容に応じて他のホルダに移動させ、前記探索リスト表示部で表示しないようにし、必要に応じて前記メモリ地点登録部に戻すことを可能としたものである。
【０００７】
請求項２にかかる車載ナビゲーション登録地点消去処理装置の前記探索リスト表示部で表示しないようにする処理は、前記日付を記憶する索引情報使用記憶部の記憶内容から、所定の期間内に使用されていないメモリ地点登録部に登録した前記メモリ地点及びそれを特定する索引情報を前記探索リスト表示部で表示することがないように前記メモリ地点登録部から移動させる情報移動部と、前記情報移動部によって前記メモリ地点登録部から移動された前記メモリ地点及びそれを特定する索引情報を一時的に格納し、必要に応じて前記メモリ地点登録部に復帰移動自在で、かつ、消去自在な保持ホルダとしたものである。
ここで、上記情報移動部は、所定の期間内に使用されていないメモリ地点登録部に登録した前記メモリ地点及びそれを特定する索引情報を前記探索リスト表示部で表示することがないように前記メモリ地点登録部から保持ホルダに移動させるものである。
また、上記保持ホルダは、前記情報移動部によって前記メモリ地点登録部から移動された前記メモリ地点及びそれを特定する索引情報を一時的に格納し、必要に応じて前記保持ホルダから前記メモリ地点登録部に登録復帰移動ができ、また、前記保持ホルダからそれを消去することもできる。
【０００８】
請求項３にかかる車載ナビゲーション登録地点消去処理装置の前記索引情報使用記憶部は、前記車両の目的地となり得た日付から、過去の使用回数及びその使用間隔を算出するものである。
ここで、過去の使用回数は、前記車両の目的地となり得た日付を毎回格納したものでは、過去の使用回数及びその使用間隔をそこから読み込むことができる。勿論、最終日付のみを記憶するものでは、その最終日付を登録前の日数及び使用回数をカウントすることになる。なお、この車両の目的地となり得た日付を毎回格納した使用回数及びその使用間隔は、所定の回数または年数によって、それよりも古い過去のメモリ地点及びそれを特定する索引情報をキャンセルすることができる。
【０００９】
請求項４にかかる車載ナビゲーション登録地点消去処理装置の前記索引情報使用記憶部は、前記車両の目的地となり得た日付を最新の使用年月日としたものである。
ここで、前記車両の目的地となり得た日付を最新の使用年月日は、基本的にドライバの意思を導入すれば良いから、単純化した場合の形態として対応できる。
【００１０】
請求項５にかかる車載ナビゲーション登録地点消去処理装置の情報移動部は、前記メモリ地点を特定する索引情報の内容によって移動させる期間を複数に設定できるものである。ここで、情報移動部は、前記メモリ地点登録部に格納されているメモリ地点を特定する索引情報の内容を保持ホルダに移動させる期間を数ヶ月、１年、２年、３年と複数に設定できるものである。例えば、索引情報に「・・空港」との記載があれば、３年以内に目的地として設定したか否か。逆に、コンビニ名では、数ヶ月以内に目的地として設定したか否かを問うことになる。
【００１１】
請求項６にかかる車載ナビゲーション登録地点消去処理装置の情報移動部は、前記メモリ地点を特定する索引情報の内容に応じて定めた初期値の期間内に前記メモリ地点登録部に登録した前記メモリ地点が使用された場合には、その移動までの期間を所定の期間だけ延ばすものである。即ち、前記メモリ地点を特定する索引情報の内容に応じて定めた初期値を有し、その索引情報の内容に応じた初期値の期間内に前記メモリ地点登録部に登録した前記メモリ地点が使用されたときには、その索引情報の内容に応じてその継続を設定するものである。
【００１２】
請求項７にかかる車載ナビゲーション登録地点消去処理装置の情報移動部は、ディスプレイ上で表示し、その保持ホルダへの移動の可否を操作者に判断させるものであり、前記メモリ地点を特定する索引情報をディスプレイ上に表示し、操作者の意思を尋ねる処理ができるものであれば、間違いがないメモリ地点登録部の整理が可能となる。
【００１３】
請求項８にかかる車載ナビゲーション登録地点消去処理装置の情報移動部は、自宅及び施設の内容は移動の対象から除外するものである。
ここで、自宅は使用頻度が高く、また、施設は使用頻度の低いものもあるが、その施設を車両の目標にして車両を運転する可能性があるので、保持ホルダに移動する前記メモリ地点及びそれを特定する索引情報から外すものである。
【００１４】
請求項９にかかる車載ナビゲーション登録地点消去処理装置の索引情報使用記憶部は、前記メモリ地点を前記車両の目的地と設定されるものの他、前記メモリ地点から５００ｍ以内を通過する場合も、前記車両の目的地となり得たと見做して日付を記憶するものである。
ここで、前記メモリ地点を前記車両の目的地と設定されるものに限らず、前記メモリ地点から半径約５００ｍ以内を通過する場合も、運転者は前記メモリ地点を前記車両の目的地と設定した事実が認識されている可能性が高いので、前記車両の目的地としてなり得たと見做して当該目的地にも日付を記憶するものである。この場合には、運転手が代わった場合でも、車両の目的地の設定が容易になる。半径約５００ｍ以内とは、厳格な値ではなく、通常、１００ｍから１０００ｍ程度に設定することが好ましく、特に、半径約５００ｍ以内がより好ましい。
【発明の効果】
【００１５】
請求項１における車載ナビゲーション登録地点消去処理装置は、メモリ地点登録部に車両の行き先となる目的地となる地図上の特定のメモリ地点及び当該登録したメモリ地点を特定する索引情報も同時に登録し、前記メモリ地点登録部に登録された前記メモリ地点の索引情報を用いて探索リスト表示部で表示し、そこから車載ナビゲーション装置の目的地を設定自在とし、索引情報使用記憶部で前記メモリ地点の索引情報によって前記車両の目的地となった日付を記憶し、メモリ地点登録部に登録した前記索引情報内容（ジャンル）に応じて定めた所定の期間内に使用されていない前記メモリ地点及びそれを特定する索引情報を、その索引情報の内容に応じた期限によって前記探索リスト表示部で表示しないようにしたものである。
したがって、前記メモリ地点登録部に登録された前記メモリ地点の索引情報を用いて探索リスト表示部で車載ナビゲーション装置の目的地候補として表示し、そこから前記車両の目的地を設定する。しかし、前記車両の目的地として使用された前記メモリ地点及びその索引情報は、索引情報使用記憶部で前記車両の目的地となった日付を記憶しているから、索引情報内容に応じて定めた所定の期間内に使用されていないメモリ地点登録部に登録した前記メモリ地点及びそれを特定する索引情報を用いて、その索引情報の内容に応じた期限によって前記探索リスト表示部で表示しないようにすることができる。
よって、メモリ地点の登録後、その登録内容によって表示が煩雑になるのを防止し、使用されるものを整理することができる。
【００１６】
請求項２における車載ナビゲーション登録地点消去処理装置の前記探索リスト表示部で表示しないようにする処理は、索引情報内容に応じて定めた所定の期間内に使用されていないメモリ地点登録部に登録した前記メモリ地点及びそれを特定する索引情報を、情報移動部で前記メモリ地点登録部から保持ホルダに移動させ、前記保持ホルダで移動された前記メモリ地点及びそれを特定する索引情報を一時的に格納する。また、必要に応じて前記保持ホルダから前記保持ホルダに復帰移動させ、またはそこで消去する。
したがって、前記車両の目的地として使用された前記メモリ地点及びその索引情報は、索引情報使用記憶部で前記車両の目的地となり得た日付を記憶しているから、索引情報内容に応じて定めた所定の期間内に使用されていないメモリ地点登録部に登録した前記メモリ地点及びそれを特定する索引情報を前記メモリ地点登録部から保持ホルダに移動させ、探索リスト表示部を整理することができる。前記保持ホルダでは移動された前記メモリ地点及びそれを特定する索引情報を一時的に格納し、必要に応じて前記メモリ地点登録部に回復移動させ、またはそこで消去することができる。
よって、メモリ地点の登録後、その登録内容によって表示が煩雑になるのを防止し、使用されるものを整理し、しかも、そこから削除した過去に登録されていたメモリ地点を再復帰可能とすることができる。
【００１７】
請求項３における車載ナビゲーション登録地点消去処理装置の前記索引情報使用記憶部は、前記車両の目的地となり得た日付に加えて、更に、過去の使用回数及びその使用間隔を記憶するものであるから、請求項１に記載の効果に加えて、車載ナビゲーション装置の目的地として使用された前記メモリ地点及びその索引情報の性質に応じて、使用間隔のあるものは前記索引情報使用記憶部から移動しないでおくことができ、実用的な対応が可能である。
【００１８】
請求項４における車載ナビゲーション登録地点消去処理装置の前記索引情報使用記憶部は、前記車両の目的地となり得た日付を最新の使用年月日としたものであるから、請求項１または請求項２に記載の効果に加えて、前記車両の目的地となり得た日付を最新の使用年月日としたものであるから、最も単純化した基本的形態となり、計算速度が速く処理できる。
【００１９】
請求項５における車載ナビゲーション登録地点消去処理装置の前記所定の期間内に使用されていないメモリ地点登録部に登録した前記メモリ地点及びそれを特定する索引情報を前記メモリ地点登録部から移動させる情報移動部は、前記メモリ地点を特定する索引情報によって移動させる期間を索引情報内容に応じて定めた複数期間に設定できるものであるから、請求項２乃至請求項４の何れか１つに記載の効果に加えて、例えば、一般に「・・・空港」、「・・・遊園地」等の使用頻度は少なく、コンビニ等は使用頻度が高く、また、コンビニ等は店舗の移動でなくなる可能性が高いから、その性質に応じて、保持ホルダに移動させるタイミングは前記メモリ地点を特定する索引情報に応じて変更するものである。
【００２０】
請求項６における車載ナビゲーション登録地点消去処理装置の前記所定の期間内に使用されていないメモリ地点登録部に登録した前記メモリ地点及びそれを特定する索引情報を前記メモリ地点登録部から移動させる情報移動部は、前記メモリ地点を特定する索引情報の内容に応じて定めた初期値の期間内に前記メモリ地点登録部に登録した前記メモリ地点が使用された場合には、その移動までの期間を所定の期間だけ延ばすものであるから、請求項２乃至請求項５の何れか１つに記載の効果に加えて、初期値と所定の期間だけ延ばす値を異なった値とすることにより、所定の初期値の期間を長く設定し、その間に使用される頻度を計算し、そして、その延長する期間を設定することができるし、また、単純に経験則からメーカまたはデーラ側で地域に応じた延長する期間を設定することができる。
【００２１】
請求項７における車載ナビゲーション登録地点消去処理装置の情報移動部は、ディスプレイ上で表示し、その可否を操作者に判断させるものであるから、請求項２乃至請求項６の何れか１つに記載の効果に加えて、例えば、特定の目的地に行くのは、車両を代えて行ったから、自車両に記録がない場合には、移動をしないようにマニュアルで対応することができる。
【００２２】
請求項８における車載ナビゲーション登録地点消去処理装置の情報移動部は、自宅及び特別メモリ領域の内容は移動の対象から除外するものであるから、請求項２乃至請求項７の何れか１つに記載の効果に加えて、自宅はいずれからも設定される可能性があるから移動の対象としていない。また、「・・・空港」、「・・役所」、「・・駅」、「・・・病院」等は、場所の移動が生ぜず、かつ、使用する可能性が高くても、定期的に使用する可能性が低いことから、それらを特別メモリ領域に登録することによって、所定の期間内に使用されていないメモリ地点登録部に登録した前記メモリ地点及びそれを特定する索引情報であっても、前記メモリ地点登録部から保持ホルダに自動的に移動させることがない。
【００２３】
請求項９における車載ナビゲーション登録地点消去処理装置の前記メモリ地点の索引情報によって前記車両の目的地となり得た日付を記憶する索引情報使用記憶部は、前記メモリ地点を前記車両の目的地と設定されるものの他、前記メモリ地点から５００ｍ以内を通過する場合も、前記車両の目的地となり得たと見做して日付を記憶するものであるから、請求項１乃至請求項８の何れか１つに記載の効果に加えて、前記メモリ地点を前記車両の目的地と設定されなくても、厳格な値ではないが半径約５００ｍ以内の地点を通過すれば、前記車両の目的地となり得たと見做して半径約５００ｍ以内の地点を通過したメモリ地点に日付を記憶することによって、ドライバはその半径約５００ｍ以内にあるメモリ地点を認識している場合が多いから、それを保持ホルダに移動させ難くする。
【発明を実施するための最良の形態】
【００２４】
以下、本発明の実施の形態について、図面に基づいて説明する。なお、実施の形態において、図中、同一記号及び同一符号は、同一または相当する機能部分であるから、ここでは重複する説明を省略する。
図１は本発明の実施の形態にかかる車載ナビゲーション登録地点消去処理装置の全体構成図であり、ナビゲーション機能表現を含む全体構成を示すブロック図である。図２は本発明の実施の形態にかかる車載ナビゲーション登録地点消去処理装置の演算・制御部が実行する要部の機能ブロック図である。図３は同車載ナビゲーション登録地点消去処理装置のメモリ地点を登録するメニュー画面、図４は同車載ナビゲーション登録地点消去処理装置のメモリ地点の登録形態を選択する画面、図５は車載ナビゲーション登録地点消去処理装置の地図を用いたメモリ地点の登録事例説明図、図６は同車載ナビゲーション登録地点消去処理装置の地図を用いたメモリ地点の登録及び索引情報の処理の説明図、図７は同車載ナビゲーション登録地点消去処理装置の登録地点メニューから行き先の目的地を設定する説明図、図８は同車載ナビゲーション登録地点消去処理装置の索引情報使用記憶部のメモリ概念図、図９は同車載ナビゲーション登録地点消去処理装置の情報移動部のデータ移動の説明図である。
【００２５】
図１において、本実施の形態の車載ナビゲーション登録地点消去処理装置は、入力された情報に基づいて、各種の演算処理を行うマイクロプロセッサからなる演算・制御部１と、ドライバ等の操作者からの操作を受け付ける各種キー入力、音声入力、タッチスイッチ等の操作部２と、操作者に対して操作情報、地図等の情報を表示する液晶からなるディスプレイ３と、ルート案内、交通規制情報、渋滞情報の案内に関する音声ガイダンスを行うスピーカ４を有している。なお、操作部２としては、キーボード、マウス、バーコードリーダ、遠隔操作用のリモートコントロール装置等を使用することもできる。更に、ディスプレイ３の前面に設けたタッチパネルによって構成することもできる。
【００２６】
マイクロプロセッサからなる演算・制御部１は、全体の制御を行う演算及び制御を行うＣＰＵ１１、及びＣＰＵ１１が各種の演算処理を行うに当たってワーキングメモリとして使用すると共に、ルート探索や、ルートが探索されたときのルートデータ、交通規制情報、渋滞情報等が記憶されるＲＡＭ１２、制御用プログラムの他、バイパス道路情報、合流地点毎の所要時間の算出を行うプログラム等が記憶されたＲＯＭ１３、ＲＯＭ１３から読み出したプログラムを記憶するフラッシュメモリ１４等の内部記憶装置や、時間を計測するタイマ１５等を備えている。
【００２７】
ＲＯＭ１３には、各種のプログラムが記憶され、ＲＡＭ１２に各種のデータが記憶されるようになっており、また、プログラム、データ等を外部記憶装置、メモリカード等からプログラム、データ等を読み出してフラッシュメモリ１４に書き込まれる。更に、メモリカード等を交換または外部から所定のプログラム、データ等をインストールすることによってプログラム、データ等を更新することができる。
演算・制御部１には、操作部２、ディスプレイ３、スピーカ４、通信部５等の各周辺装置が電気的に接続されている。操作部２は、走行開始時の現在地を修正し、案内開始地点としての出発地及び案内終了地点としての目的地を入力する際や施設に関する情報の検索を行う際等に操作され、各種キー等の複数の操作スイッチから構成される。演算・制御部１は、操作部２の各スイッチの操作により出力されるスイッチ信号に基づき、対応する各種の動作を実行すべく制御を行う。
【００２８】
ディスプレイ３には、操作案内、操作メニュー、キーの案内、現在地から目的地までのルート案内、ルート案内に沿った案内情報、後述のルート変更案内情報、交通情報、ニュース、天気予報、時間、メール、テレビ番組等が表示される。
なお、ディスプレイ３として液晶ディスプレイの代わりに、ＣＲＴディスプレイ、プラズマディスプレイ、ＥＬ等を使用し、車両のフロントガラスにホログラムを投影するホログラム装置等を使用することもできる。そして、ディスプレイ３は操作部２としてのタッチスイッチを兼ねてもよい。スピーカ４は、演算・制御部１からの指示に基づいて、本線道路、バイパス道路に沿った走行を案内する音声ガイダンスや、ルート案内のルート変更を案内する音声案内を出力する。なお、スピーカ４より出力される音声としては、合成された音声の他に、各種効果音、予めメモリ等に録音された各種の案内情報を出力することもできる。
【００２９】
また、日本道路交通情報センター（ＪＡＲＴＩＣ（登録商標）：Japan Road Traffic Information Center（以下、単に「ＪＡＲＴＩＣ」という））からのＡＭ放送（周波数１６２０ＫHz）、及び／または、道路交通情報通信システムセンター（ＶＩＣＳ（登録商標）：Vehicle Information and Communication System（以下、単に「ＶＩＣＳ」という））５２等の情報センターとの間でネットワーク５１を介して通信を行う通信部５を有している。
本実施の形態では、ネットワーク５１を介してＶＩＣＳ５２から警察、日本道路公団（登録商標）等の交通管制システムの情報を収集して作成した道路の渋滞等に関する情報や、交通規制情報等の道路交通情報を所定時間毎に受信可能となっている。また、この道路交通情報は、例えば、道路の渋滞等に関する道路渋滞情報、道路工事、建築工事等による交通規制情報等の道路交通情報に関する詳細情報である。該詳細情報としては、道路渋滞情報の場合、後述のＶＩＣＳリンクＩＤ、渋滞の実際の長さ、渋滞解消の見込まれる時間等であり、交通規制情報の場合、ＶＩＣＳリンクＩＤ、道路工事、建築工事等の継続期間、通行止め、片側交互通行、車線規制等の交通規制の種類、交通規制の時間帯等である。
【００３０】
また、ネットワーク５１としては、例えば、無線ＬＡＮ（Local Area Network）、ＷＡＮ（Wide Area Network）、電話回線網、公衆通信回線網、専用通信回線網等の通信回線網等の通信系を使用することができる。そして、放送衛星によるＣＳ放送、ＢＳ放送、地上波ディジタルテレビ放送、ＦＭ多重放送等を利用する通信系を使用することもできる。更に、高度道路交通システム（ＩＴＳ）において利用されるノンストップ自動料金支払いシステムのＥＴＣ（Electronic Toll Collection System）、狭域通信システム（ＤＳＲＣ）等の通信系を使用することもできる。
【００３１】
そして、通信部５は、例えば、ＶＩＣＳ５２等から送信された渋滞情報、交通規制情報、駐車場情報、交通事故情報、サービスエリアの混雑状況等の各情報からなる道路交通情報を、道路に沿って配設された電波ビーコン装置、光ビーコン装置等を介して電波ビーコン、光ビーコン等として受信するビーコンレシーバである。また、通信部５は、ネットワーク５１として通信回線網等の通信系において通信を可能とするネットワーク機器である。更に、通信部５は道路交通情報通信システムセンター５２からの情報の他に、ニュース、天気予報等の情報からなるＦＭ多重情報を、ＦＭ放送局を介してＦＭ多重放送として受信するＦＭ受信機を備える。なお、前記ビーコンレシーバ及びＦＭ受信機は、ユニット化されてＶＩＣＳレシーバとして配設されるようになっているが、別々に配設することもできる。
【００３２】
更に、本実施の形態の車載ナビゲーション登録地点消去処理装置は、現在の自車の位置、方位、目標位置（例えば、交差点）までの距離等を検出することが可能となるように各種センサからなる自車の現在地を検出する現在地検出部６と、同じく、各種のデータが記録され、書込み、読出しが可能な記憶容量が大きいハードディスクからなる地図情報処理部７を具備している。
【００３３】
本実施の形態の車載ナビゲーション登録地点消去処理装置を構成する特徴的な構成要素について図１に基づいて、更に、具体的に説明する。
自車の現在地を検出する現在地検出部６は、ＧＰＳセンサ６１、地磁気センサ６２、距離センサ６３、ステアリングセンサ６４、方位検出部としてのジャイロセンサ６５、高度計６６、更に、自車の走行速度及び走行距離を検出する車速センサ６７等からなる。なお、この距離センサ６３と車速センサ６７は単一のものとすることもできる。
特に、本実施の形態においては、ＧＰＳセンサ６１のみを使用し、現在地検出部６とすることもできる。ＧＰＳセンサ６１は、人工衛星から発生させられた電波を受信することにより、地球上における自車の現在地及び現在時間を検出する。地磁気センサ６２は、地磁気を測定することによって自車方位を検出する。距離センサ６３は、道路上の所定位置間の距離等を検出する。ここで、距離センサ６３としては、例えば、自車の車輪の回転速度を測定し、測定した回転速度に基づいて距離を検出するが、車速センサ６７の出力を積分して距離を検出してもよい。
【００３４】
また、ステアリングセンサ６４は自車の操舵角を検出するものである。ここで、ステアリングセンサ６４としては、例えば、ステアリングホイールの回転部に取り付けられた光学的な回転センサ、回転抵抗センサ、車輪に取り付けられた角度センサ等が使用される。
そして、ジャイロセンサ６５は自車の旋回角を検出するものである。ここで、ジャイロセンサ６５としては、例えば、ガスレートジャイロ、振動ジャイロ等が使用される。また、ジャイロセンサ６５によって検出された旋回角を積分することにより、自車方位を検出することができる。
【００３５】
地図情報処理部７としては、本実施の形態ではハードディスクを使用した場合で説明する。このハードディスクに記憶された交通情報ＤＢ（データベース、以下、単に『ＤＢ』という）７１、地図情報ＤＢ７４、及び所定のプログラム等を読み出す機能を備えている。なお、本実施の形態においては、地図情報処理部７としてハードディスクを使用されているが、ハードディスクの他にメモリカード、ＤＶＤ、光ディスク等を外部記憶装置の一部として使用することもできる。
【００３６】
交通情報ＤＢ７１には、ＶＩＣＳ５２から受信した渋滞の実際の長さ、渋滞解消の見込まれる時間等から構成される現況の道路の渋滞等に関する道路交通情報から作成した渋滞情報７２が格納されている。また、この交通情報ＤＢ７１には、ＶＩＣＳ５２から受信した交通規制のある道路工事、建築工事等による交通規制情報等に関する道路交通情報から作成した交通規制情報７３が格納されている。なお、交通情報ＤＢ７１には、本発明の実施の形態の放送局からの放送情報を用いるものではなく、ＶＩＣＳリンクＩＤによって得られる情報である。ＪＡＲＴＩＣ、全国各地のＮＨＫ（登録商標）、民放の何れを受信するかを単数または複数に決定し、或いはその受信時間も設定することができる。特に、ＪＡＲＴＩＣのデータは放送時間を特定する必要がないが、ＮＨＫ、民放の何れも、交通情報の放送時間を特定するのが望ましい。
【００３７】
ＶＩＣＳ５２から受信した各道路交通情報には、種別情報、位置、渋滞区間の距離、渋滞度等の情報と共に、ＶＩＣＳリンクＩＤが含まれる。ＶＩＣＳリンクＩＤは、道路を所定の交差点毎に分割して規格化された走行案内用リンクとしてのＶＩＣＳリンクに付与された識別番号である。なお、前記道路交通情報には、各ＶＩＣＳリンクにおける始点及び終点の座標、始点から終点までの距離等の情報も含まれている。
【００３８】
ここで、地図情報ＤＢ７４に記憶される道路とＶＩＣＳリンクとは同一情報を扱うものではない。即ち、一般的には、道路（リンク）の方がＶＩＣＳリンクよりも細分化されている。そこで、交通情報ＤＢ７１には、各道路に識別番号として付与されるリンクＩＤとＶＩＣＳリンクＩＤとの間の変換テーブル（対照表）を有し、ＶＩＣＳリンクＩＤに基づいて、対応するリンクＩＤを特定することができるようになっている。そのため、ナビゲーション機能では、ＶＩＣＳ５２からＶＩＣＳリンクＩＤを受信すると、該ＶＩＣＳリンクＩＤに基づいて渋滞情報等の道路交通情報を表示すべき道路の区間を特定することができる。そして、ＶＩＣＳ５２から受信した現況の道路の渋滞等に関する道路交通情報のＶＩＣＳリンクＩＤは、リンクＩＤに変換されて渋滞情報７２として格納される。また、ＶＩＣＳ５２から受信した交通規制情報等に関する道路交通情報のＶＩＣＳリンクＩＤは、リンクＩＤに変換されて交通規制情報７３として格納される。
【００３９】
また、地図情報ＤＢ７４には、本実施の形態の車載ナビゲーション登録地点消去処理装置のナビゲーション機能による走行案内やルート探索に使用されるナビ地図情報７５が格納されている。ここで、ナビ地図情報７５には、ルート案内及び地図表示に必要な各種情報から構成されており、例えば、各新設道路を特定するための新設道路情報、地図を表示するための地図表示データ、各交差点に関する交差点データ、分岐地点に関する分岐地点のデータ、施設の一種である道路に関するリンクデータ、ルートを探索するための探索データ、施設の一種である店舗等のＰＯＩ（Point of Interest）に関する店舗データ、地点を検索するための検索データ等から構成されている。そして、地図情報ＤＢ７４の内容は、地図情報配信センターから通信部５を介して配信された更新情報をダウンロードすることによって更新される。
【００４０】
そして、ルート探索データとしては、設定された目的地までのルートを探索及び表示する際に使用されるデータについて記録されており、分岐地点を通過する際のコストや道路を構成するリンクのコストからなる探索コストを算出し、使用するコストデータ、ルート探索により選択された誘導ルートをディスプレイ３の地図上に表示するためのルート表示データ等から構成されている。
店舗データとしては、各地域のホテル、病院、ガソリンスタンド、駐車場、観光施設等のＰＯＩに関するデータがＰＯＩを特定するＩＤと共に記録される。なお、前記地図情報ＤＢ７４には、所定の情報をナビゲーション装置のスピーカ４によって出力するための音声出力データも記録される。
【００４１】
次に、図２を用いて、本実施の形態の車載ナビゲーション登録地点消去処理装置の機能ブロック図について説明する。なお、図２の機能は、演算・制御部１によってその主体が構成される。
一般に、ディスプレイ３でルート案内モードを選択するとナビゲーション装置のルートガイド機能が選択されることになる（ルート案内選択２０１）。そして、ディスプレイ３に登録されているメモリ地点またはナビゲーション装置が当初から有する施設名称等から目的地を設定する探索リストが表示される（探索リスト表示部２０２）。そこから特定の目的地を選択するとそれがルート案内する行き先の目的地として設定される（目的地設定２０３）。ディスプレイ３に複数のルートが表示され、そのうちの１つを選択することによってルート案内が開始される（ルート案内開始２０４）というのがナビゲーション装置の動作である。
【００４２】
ここで、探索リスト表示部２０２で表示される登録されたメモリ地点は、図７に示される。即ち、地図上の登録したい位置をメモリ地点登録部２１１でメモリ地点を記憶させ、それに対応して索引情報を記憶させる。索引情報は住所、または施設名称、氏名等を書き込む。人に対しては、記憶させたメモリ地点に代わって索引情報を持って特定できるようにする。このとき、対応するシンボル（記号、符号）も存在すれば、それを同時に書き込むことが望ましい。例えば、コンビニ等のチェーン店、郵便局、病院等のシンボルも同時に登録するのが望ましい。勿論、省略が本発明の実施を不可能とするものではない。
【００４３】
メモリ地点登録部２１１で登録したデータは、演算・制御部１のＲＡＭ１２等のメモリ領域に格納される。索引情報使用記憶部２１２のメモリ領域では、メモリ地点、そのメモリ地点に対応する索引情報、そのメモリ地点を表すシンボル、そのメモリ地点をナビゲーションの目的地に設定した使用年月日を記載するエリアを設けている。この目的地に設定した使用年月日を記憶する領域は、５回まで書き込み自在で、古い情報を消去し、最新の情報から５回までが書き込み自在となっている。
この索引情報使用記憶部２１２のデータのうち、メモリ地点に対応する索引情報が探索リスト表示部２０２で表示するデータとして使用される。
【００４４】
情報移動部２１３は、索引情報使用記憶部２１２のデータのうち、その内容によっては、３ヶ月以上不使用であるか、または１年以上不使用であるか、３年以上不使用であるかを判断する。例えば、「・・・空港」、特定された「・・・遊園地」等の使用頻度は、頻度の高いものも存在するが、一般的には少なく、通常では２〜３年に１回以上であることから、３年以上使用していないときには、探索リスト表示部２０２から外し、保持ホルダ２１４にデータ移動させる。逆に、コンビニ等は使用頻度が高く、また、コンビニ等は店舗の移動でなくなる店舗もあることから、３ヶ月以上不使用であるか否かを判断し、３ヶ月以上使用していないときには、探索リスト表示部２０２から外し、保持ホルダ２１４にデータ移動させる。また、その他の場所は１年以上不使用であるときに探索リスト表示部２０２から外し、保持ホルダ２１４にデータ移動させる。
【００４５】
なお、本実施例で設定した３ヶ月以上不使用であるか、または１年以上不使用であるか、３年以上不使用であるかを判断は、本発明を実施する際には、任意に変更して設定することができ目安値である。当然、期間を２段階または１段階に設定することもできる。また、著名な「・・・空港」、「・・・遊園地」は、ナビゲーション装置に初期設定されているものもあり、それらは、情報移動の対象から外すこともできる。
保持ホルダ２１４は、特定のメモリ領域であり、情報移動部２１３によって探索リスト表示部２０２から外した索引情報は、当該索引情報に関連するメモリ領域のメモリ地点、そのメモリ地点を表すシンボル、そのメモリ地点をナビゲーションの目的地に設定した使用年月日と共に、データ移動させたものを収容する。
【００４６】
このように構成された車載ナビゲーション登録地点消去処理装置は、ＲＯＭ１３に格納されたプログラムによって、次のように実行される。
図１０は本発明の実施の形態にかかる車載ナビゲーション登録地点消去処理装置の登録するメモリ地点の動作を行うフローチャートである。図１１は本発明の実施の形態にかかる車載ナビゲーション登録地点消去処理装置の３ヶ月消去プログラムであり、図１２は同じく１年消去プログラムであり、図１３は同じく３年消去プログラムである。また、図１４は同じくメモリ地点の復帰・消去プログラムである。図１５は同じくメモリ地点の復帰・削除の説明図である。
まず、図１０に示すプログラムはナビゲーション装置を使用するキースイッチの押圧によってコールされる。ステップＳ１で図３に示すメニューをディスプレイ３に表示する。ステップＳ２で「メモリ地点の登録」を選択すると、ステップＳ３で図４に示す登録形態の質問をディスプレイ３で表示する。ここでは、「直接地図による表示」をステップＳ４で選択したとする。勿論、電話番号でも、住所でも、結果は同じで、ステップＳ５でディスプレイ３に地図を表示する。
【００４７】
ステップＳ５で表示された地図に対して、ステップＳ６で場所をクロスマーク（＋）で特定すると、図５の表示となり、ステップＳ７でディスプレイ３の表示が図６の表示に代わり、表示された地図上にメモリ地点の住所が表示される。そして、ステップＳ８で索引情報の修正、消去、保存を任意に選択自在となる。
ここで、メモリ地点を選択した住所をそのまま索引情報として使用する場合には、ステップＳ８で保存を選択し、ステップＳ９でメモリ地点及びそれを特定する索引情報を登録し、ステップＳ１０でその完了を選択すると、図８に示すようにメモリ地点、そのメモリ地点に対応する索引情報、そのメモリ地点を表すシンボルをメモリ地点登録部２１１に書き込む。
【００４８】
また、メモリ地点を選択した住所を他の索引情報として修正する場合には、ステップＳ８で修正を選択し、ステップＳ１１で住所表示を消去して上書きし、所望の表現とする。ステップＳ１２でその完了を選択すると、図８に示すようにメモリ地点、そのメモリ地点に対応する索引情報、そのメモリ地点を表すシンボルをメモリ地点登録部２１１に書き込む。
そして、メモリ地点を選択した住所をクリアする場合には、ステップＳ８で消去を選択し、ステップＳ１３で住所表示を消去し、ステップＳ１４でその完了を選択すると、索引情報使用記憶部２１２に何も書き込まない。
【００４９】
ナビゲーション装置の使用によって、ルート案内する行き先の目的地として探索リスト表示部２０２から特定の登録地点を選択すると、その度に、図８に示すようにメモリ地点、そのメモリ地点に対応する索引情報、そのメモリ地点を表すシンボルに対して、索引情報使用記憶部２１２として用意されているメモリ領域に対して年月日を書き込んでいる。
索引情報使用記憶部２１２の領域としては、１個のメモリ地点に５個書き込みができるようになっており、最新のものに更新自在になっている。
【００５０】
次に、図１１の３ヶ月消去プログラム、図１２の１年消去プログラム、図１３の３年消去プログラムは、図８に示すようにメモリ地点、そのメモリ地点に対応する索引情報、そのメモリ地点を表すシンボルを索引情報使用記憶部２１２に書き込んだ後、タイマ１５で３ヶ月、１年、３年経過すると、これらのルーチンがコールされる。
ステップＳ２１で３ヶ月の経過（索引情報内容（ジャンル）に応じて決定した値）をタイマ１５で判断し、タイマ１５で経過していないと判断されるときには、このルーチンを脱する。ステップＳ２１で３ヶ月の経過を判断し、経過が確認されると、ステップＳ２２で特定ジャンルＡ、即ち、索引情報として住所を記載しているもの、コンビニ等を削除候補として索引情報使用記憶部２１２からそれらの存在を選択する。ステップＳ２３で該当するものがあるか否かが判断され、該当するものがないときこのルーチンを脱する。該当するものがあるとき、ステップＳ２４でその索引情報が最終であるか判断する。このルーチンに入った初期にはステップＳ２３で該当有りと判断されているから、ステップＳ２５に進み、ステップＳ２５で該当する索引情報をディスプレイ３で順次表示し、図９の表示を行う。ステップＳ２５では、データ移動する索引情報を表示し、例えば、「・・・コンビニは、３ヶ月間目的地として使用されていません。データ移動しますか」と問いかけ、ドライバがステップＳ２６で「ＹＥＳ」、「ＮＯ」で答えると、「ＮＯ」の場合には、ステップＳ２４に戻り、次のステップＳ２４で次の索引情報があるか、最終であるか判断し、最終の場合には、このルーチンを脱する。
ステップＳ２４で次の期限が到来した索引情報があると認識されたときには、ステップＳ２５で該当する索引情報をディスプレイ３で表示し、図９の表示を行う。ステップＳ２５では、データ移動する索引情報を表示し、例えば、特定の「・・・・は、３ヶ月間目的地として使用されていません。データ移動しますか」と問いかけ、ドライバがステップＳ２６で「ＹＥＳ」で答えると、ステップＳ２７で該当するメモリ地点のデータ移動を行い、ステップＳ２８でデータ移動の完了を判断して、このルーチンを脱する。
【００５１】
ステップＳ３１で１年の経過をタイマ１５で判断し、タイマ１５で経過していないと判断されるときには、このルーチンを脱する。ステップＳ３１で１年の経過を判断し、経過が確認されると、特定ジャンルＢ、即ち、索引情報として・・家、・・邸等を削除候補として索引情報使用記憶部２１２からそれらの存在を選択する。ステップＳ３３で該当するものがあるか否かが判断され、該当するものがないときこのルーチンを脱する。該当するものがあるとき、ステップＳ３４でその索引情報が最終であるか判断する。このルーチンに入った初期にはステップＳ３３で該当有りと判断されているから、ステップＳ３５に進み、ステップＳ３５で該当する索引情報をディスプレイ３で順次表示し、図９の表示を行う。ステップＳ３５では、データ移動する索引情報を表示し、例えば、「・・・家は、１年間目的地として使用されていません。データ移動しますか」と問いかけ、ドライバがステップＳ３６で「ＹＥＳ」、「ＮＯ」で答えると、「ＮＯ」の場合には、ステップＳ３４に戻り、次のステップＳ３４で次の索引情報があるか、最終であるか判断し、最終の場合には、このルーチンを脱する。
ステップＳ３４で次の索引情報があると認識されたときには、ステップＳ３５で該当する索引情報をディスプレイ３で表示し、図９の表示を行う。ステップＳ３５では、データ移動する索引情報を表示し、例えば、特定の「・・・・は、１年間目的地として使用されていません。データ移動しますか」と問いかけ、ドライバがステップＳ３６で「ＹＥＳ」で答えると、ステップＳ３７で該当するメモリ地点のデータ移動を行い、ステップＳ３８でデータ移動の完了を判断して、このルーチンを脱する。
【００５２】
ステップＳ４１で３年の経過をタイマ１５で判断し、タイマ１５で経過していないと判断されるときには、このルーチンを脱する。ステップＳ４１で３年の経過を判断し、経過が確認されると、特定ジャンルＣ、即ち、索引情報として・・空港、・・遊園地等を削除候補として索引情報使用記憶部２１２からそれらの存在を選択する。ステップＳ４３で該当するものがあるか否かが判断され、該当するものがないときこのルーチンを脱する。該当するものがあるとき、ステップＳ４４でその索引情報が最終であるか判断する。このルーチンに入った初期にはステップＳ４３で該当有りと判断されているから、ステップＳ４５に進み、ステップＳ４５で該当する索引情報をディスプレイ３で順次表示し、図９の表示を行う。ステップＳ４５では、データ移動する索引情報を表示し、例えば、「・・・空港は、３年間目的地として使用されていません。データ移動しますか」と問いかけ、ドライバがステップＳ４６で「ＹＥＳ」、「ＮＯ」で答えると、「ＮＯ」の場合には、ステップＳ４４に戻り、次のステップＳ４４で次の索引情報があるか、最終であるか判断し、最終の場合には、このルーチンを脱する。
ステップＳ４４で次の索引情報があると認識されたときには、ステップＳ４５で該当する索引情報をディスプレイ３で表示し、図９の表示を行う。ステップＳ４５では、データ移動する索引情報を表示し、例えば、特定の「・・・・は、３年間目的地として使用されていません。データ移動しますか」と問いかけ、ドライバがステップＳ４６で「ＹＥＳ」で答えると、ステップＳ４７で該当するメモリ地点のデータ移動を行い、ステップＳ４８でデータ移動の完了を判断して、このルーチンを脱する。
【００５３】
図３のメニューからメモリ地点の復帰・消去を選択すると、ステップＳ５１のルーチンの処理に入る。
ステップＳ５１で保持ホルダ２１４に格納している全登録したメモリ地点及びそれ特定する索引情報をディスプレイ３で表示する。ステップＳ５２で復帰または削除の対象のメモリ地点及びそれ特定する索引情報をカーソルで特定する。そして、ステップＳ５３で図１５に示すように、画面表示されている復帰を選択すると、該当するメモリ地点及びそれ特定する索引情報をステップＳ５４でメモリ地点登録部２１１に戻す。また、ステップＳ５５で画面表示されている削除を選択すると、該当するメモリ地点及びそれ特定する索引情報をステップＳ５６で削除する。
【００５４】
以上のように、本実施の形態の車載ナビゲーション登録地点消去処理装置は、車両の出発地から目的地の間のルートを探索すると共に、該探索されたルートに従ってルート案内する車載ナビゲーション装置において、車両の目的地となる地図上の特定の地点をメモリに登録するとともに、当該登録したメモリ地点を特定する索引情報も同時にメモリに登録するステップＳ２乃至ステップＳ１４からなるメモリ地点登録部２１１と、メモリ地点登録部２１１に登録された前記メモリ地点の索引情報を用いて表示し、車両の目的地として設定自在な探索リスト表示部２０２と、メモリ地点の索引情報によって車載ナビゲーション装置の目的地となり得た日付（年月日）を記憶する索引情報使用記憶部２１２と、前記日付を記憶する索引情報使用記憶部２１２の記憶内容から、所定の期間内に使用されていないメモリ地点登録部２１１に登録したメモリ地点及びそれを特定する索引情報を探索リスト表示部２０２で表示することがないようにメモリ地点登録部２１１から移動させるステップＳ２１乃至ステップＳ４８からなる情報移動部２１３と、情報移動部２１３によってメモリ地点登録部２１１から移動されたメモリ地点及びそれを特定する索引情報を一時的に格納し、必要に応じて索引情報使用記憶部２１２に復帰移動自在で、かつ、消去自在な保持ホルダ２１４を具備するものである。
【００５５】
したがって、メモリ地点登録部２１１に車両の行き先となる目的地となる地図上の特定のメモリ地点及び当該登録したメモリ地点を特定する索引情報も同時に登録し、メモリ地点登録部２１１に登録されたメモリ地点の索引情報を用いて探索リスト表示部２０２で表示し、そこから車載ナビゲーション装置の目的地を設定自在とし、索引情報使用記憶部２１２でメモリ地点の索引情報によって車両の目的地となり得た日付（年月日）を記憶し、情報移動部２１３で索引情報使用記憶部２１２の前記日付の記憶内容から、所定の期間内に使用されていないメモリ地点登録部２１１に登録したメモリ地点及びそれを特定する索引情報をメモリ地点登録部２１１から保持ホルダ２１４に移動させ、保持ホルダ２１４で移動されたメモリ地点及びそれを特定する索引情報を一時的に格納する。また、必要に応じて保持ホルダ２１４からメモリ地点登録部２１１に復帰移動させ、またはそこで消去する。
【００５６】
よって、メモリ地点登録部２１１に登録されたメモリ地点の索引情報を用いて探索リスト表示部２０２で車載ナビゲーション装置の目的地候補として表示し、そこから車両の目的地を設定する。しかし、車両の目的地として使用されたメモリ地点及びその索引情報は、索引情報使用記憶部２１２で車両の目的地となり得た日付を記憶しているから、所定の期間内に使用されていないメモリ地点登録部２１１に登録したメモリ地点及びそれを特定する索引情報をメモリ地点登録部２１１から保持ホルダ２１４に移動させ、探索リスト表示部２０２を整理することができる。保持ホルダ２１４では移動されたメモリ地点及びそれを特定する索引情報を一時的に格納し、必要に応じてメモリ地点登録部２１１に回復移動させ、またはそこで消去することができる。
故に、メモリ地点の登録後、その登録内容によって表示が煩雑になるのを防止し、使用されるものを整理し、しかも、そこから削除した過去に登録されていたメモリ地点を再復帰可能とすることができる。
【００５７】
図１乃至図１５に示す本実施の形態にかかる車載ナビゲーション登録地点消去処理装置は、日付を記憶する索引情報使用記憶部２１２の記憶内容から、所定の期間内に使用されていないメモリ地点登録部２１１に登録したメモリ地点及びそれを特定する索引情報を探索リスト表示部２０２で表示することがないようにメモリ地点登録部２１１から移動させるステップＳ２１乃至ステップＳ４８からなる情報移動部２１３と、情報移動部２１３によってメモリ地点登録部２１１から移動されたメモリ地点及びそれを特定する索引情報を一時的に格納し、必要に応じて索引情報使用記憶部２１２に復帰移動自在で、かつ、消去自在な保持ホルダ２１４を具備するものである。
【００５８】
しかし、本発明を実施する場合には、情報移動部２１３と保持ホルダ２１４の機能をまとめて、日付を記憶する索引情報使用記憶部２１２の記憶内容から、索引情報内容（ジャンル）に応じて定めた所定の期間内に使用されていないメモリ地点登録部２１１に登録したメモリ地点及びそれを特定する索引情報を、その索引情報の内容に応じた期限によって探索リスト表示部２０２で表示しないようにすることができる。
即ち、情報移動部２１３の日付を記憶する索引情報使用記憶部２１２の記憶内容から、所定の期間内に使用されていないメモリ地点登録部２１１に登録したメモリ地点及びそれを特定する索引情報を探索リスト表示部２０２で表示することがないようにメモリ地点登録部２１１から移動させるとの機能を、メモリ地点登録部２１１から削除する処理とすることによって対応できる。
【００５９】
また、本実施の形態にかかる車載ナビゲーション登録地点消去処理装置の情報移動部２１３は、ステップＳ２１で索引情報内容（ジャンル）に応じて決定した値を３ヶ月等と固定し、その間の目的地使用を確認する事例で説明したが、この期間の設定または目的地設定について、更に仔細に、緻密に設定することもできる。
図１６は本発明の実施の形態にかかる車載ナビゲーション登録地点消去処理装置の所定の期間内の設定、目的地の設定についての異なった事例の説明図である。
即ち、本発明を実施する場合には、索引情報内容（ジャンル）に応じて初期値として、図１６のように、最長期間または最長期間内の索引情報に合致した有効期間として初期値を設定し、更に、その初期値を経過したときには、その間に使用されていた場合には、その有効期間を延ばすようにすることもできる。
この有効期間を延ばす条件として、目的地の設定に関しては、
（１）目的地を設定し、その目的地に到着した場合、
（２）目的地を設定し、その目的地に駐車、停車した場合、
（３）目的地を設定した場合、
によって、有効期間を索引情報内容に適合した期間に設定し、有効期間の延長を設定することができる。また、目的地として設定しなくとも、メモリ地点登録部２１１に登録したメモリ地点を通過する場合、或いはメモリ地点登録部２１１に登録したメモリ地点に所定の距離近づいた場合も、有効期間の延長を設定することができる。また、所定の距離を一律とするのではなく、ジャンルに応じて変更することもできる。
【００６０】
例えば、初期値としての有効期間を長く設定することにより、その間に目的地が設定された頻度、間隔（タイミング）等が分かり、それ以上に私用されていないことであれば、直接削除してもよいし、保持ホルダ２１４に移行させてもよいことが判断される。
また、初期値としての有効期間を長く設定することにより、その間に目的地が設定された頻度、間隔（タイミング）等が分かり、それを学習することにより、有効期間の延長を学習によって設定することもできる。
【００６１】
何れにせよ、所定の期間内に使用されていないメモリ地点登録部２１１に登録したメモリ地点及びそれを特定する索引情報を索引情報使用記憶部２１２から移動させる情報移動部２１３は、メモリ地点を特定する索引情報の内容、即ち、所謂、ジャンルに応じて定めた初期値の期間内にメモリ地点登録部２１１に登録したメモリ地点が使用された場合には、その移動までの期間を所定の期間だけ延ばすことによって構成することもできる。
この種の実施の形態では、初期値と所定の期間だけ延ばす値を異なった値とすることにより、所定の初期値の期間を長く設定し、その間に使用される頻度を計算し、そして、その延長する期間を設定することができ、また、単純に経験則からメーカまたはディーラ側で地域に応じた延長する期間を設定することができる。
【００６２】
また、本実施の形態の索引情報使用記憶部２１２は、車両の目的地となり得た日付から、過去の使用回数及びその使用間隔を算出することもできる。この場合には、車載ナビゲーション装置の目的地として使用されたメモリ地点及びその索引情報の性質に応じて、使用間隔のあるものはメモリ地点登録部２１１から移動しないでおくことができ、実用的な対応が可能である。また、現実的な運用を行うことができる。
また、索引情報使用記憶部２１２は、前記車両の目的地となり得た日付を最新の使用年月日としたものでは、最も単純化した基本的形態となり、計算速度が速く処理できる。
【００６３】
本実施の形態の所定の期間内に使用されていないメモリ地点登録部２１１に登録したメモリ地点及びそれを特定する索引情報をメモリ地点登録部２１１から移動させる情報移動部２１３は、メモリ地点を特定する索引情報によって移動させる期間を１個以上の、２個または３個以上の複数に設定できる。したがって、例えば、一般に「・・・空港」、「・・・遊園地」等の使用頻度は少なく、コンビニ等は使用頻度が高く、また、コンビニ等は店舗の移動でなくなる可能性が高いから、その性質に応じて、保持ホルダ２１４に移動させるタイミングはメモリ地点を特定する索引情報に応じて変更することができる。なお、自宅、特定の公共施設等は、期間設定を無限大に設定することもできる。
【００６４】
本実施の形態の所定の期間内に使用されていないメモリ地点登録部２１１に登録したメモリ地点及びそれを特定する索引情報を索引情報使用記憶部２１２によってメモリ地点登録部２１１から移動させる情報移動部２１３は、ディスプレイ３上で表示し、その可否を操作者に判断させるものとすることができる。したがって、例えば、特定の目的地に行くのは、車両を代えて行ったから、自車両に記録がない場合には、メモリ地点登録部２１１に登録したメモリ地点及びそれを特定する索引情報が移動しないようにマニュアルで対応することができる。
【００６５】
そして、本実施の形態の所定の期間内に使用されていないメモリ地点登録部２１１に登録したメモリ地点及びそれを特定する索引情報を索引情報使用記憶部２１２から移動させる情報移動部２１３は、自宅及び全国的な施設のようにメーカ側が商品化すると同時に格納しているメモリ地点及びそれを特定する索引情報等の特別メモリ領域の内容が移動の対象から除外するものとすることができる。したがって、自宅はいずれからも設定される可能性があるから移動の対象としていない。また、「・・・空港」、「・・役所」、「・・駅」、「・・・病院」等は、場所の移動が生ぜず、かつ、使用する可能性が高くても、定期的に使用する可能性が低いことから、それらを特別メモリ領域（図１６の特別メモの指定参照）に登録することによって、所定の期間内に使用されていないメモリ地点登録部２１１から索引情報使用記憶部２１２に登録したメモリ地点及びそれを特定する索引情報であっても、索引情報使用記憶部２１２から保持ホルダ２１４に自動的に移動させることがない。
【００６６】
メモリ地点の索引情報によって前記車両の目的地となり得た日付を記憶する索引情報使用記憶部２１２は、前記メモリ地点を前記車両の目的地と設定されるものの他、前記メモリ地点から５００ｍ以内を通過する場合も、前記車両の目的地となり得たと見做して日付を記憶するものとすることもできる。
したがって、メモリ地点を車両の目的地と設定されなくても、厳格な値ではないが半径約５００ｍ以内の地点を通過すれば、車両の目的地となり得たと見做して半径約５００ｍ以内の地点を通過したメモリ地点に日付を記憶することによって、ドライバはその半径約５００ｍ以内にあるメモリ地点を認識している場合が多いから、それを保持ホルダに移動させ難くすることができる。ここで、半径約５００ｍとは、臨界値ではなく、一般的に望ましいと推定できる値であり、数割の誤差を否定するものではない。
【図面の簡単な説明】
【００６７】
【図１】図１は本発明の実施の形態にかかる車載ナビゲーション登録地点消去処理装置の全体構成図である。
【図２】図２は本発明の実施の形態にかかる車載ナビゲーション登録地点消去処理装置の要部機能ブロック図である。
【図３】図３は本発明の実施の形態にかかる車載ナビゲーション登録地点消去処理装置のメモリ地点を登録するメニュー画面である。
【図４】図４は本発明の実施の形態にかかる車載ナビゲーション登録地点消去処理装置のメモリ地点の登録形態を選択する画面である。
【図５】図５は本発明の実施の形態にかかる車載ナビゲーション登録地点消去処理装置の地図を用いたメモリ地点の登録事例説明図である。
【図６】図６は本発明の実施の形態にかかる車載ナビゲーション登録地点消去処理装置の地図を用いたメモリ地点の登録及び索引情報の処理例説明図である。
【図７】図７は本発明の実施の形態にかかる車載ナビゲーション登録地点消去処理装置の登録地点メニューから行き先の目的地を設定する説明図である。
【図８】図８は本発明の実施の形態にかかる車載ナビゲーション登録地点消去処理装置の索引情報使用記憶部のメモリ概念図である。
【図９】図９は本発明の実施の形態にかかる車載ナビゲーション登録地点消去処理装置の情報移動部のデータ移動する説明図である。
【図１０】図１０は本発明の実施の形態にかかる車載ナビゲーション登録地点消去処理装置の登録するメモリ地点の動作を行うフローチャートである。
【図１１】図１１は本発明の実施の形態にかかる車載ナビゲーション登録地点消去処理装置の３ヶ月消去プログラムである。
【図１２】図１２は本発明の実施の形態にかかる車載ナビゲーション登録地点消去処理装置の１年消去プログラムである。
【図１３】図１３は本発明の実施の形態にかかる車載ナビゲーション登録地点消去処理装置の３年消去プログラムである。
【図１４】図１４は本発明の実施の形態にかかる車載ナビゲーション登録地点消去処理装置のメモリ地点の復帰・消去プログラムである。
【図１５】図１５は本発明の実施の形態にかかる車載ナビゲーション登録地点消去処理装置のメモリ地点の復帰・削除の説明図である。
【図１６】図１６は本発明の実施の形態にかかる車載ナビゲーション登録地点消去処理装置の所定の期間内の設定、目的地の設定についての異なった事例の説明図である。
【符号の説明】
【００６８】
１      演算・制御部
３      ディスプレイ
２０１  ルート案内選択
２０２  探索リスト表示部
２０３  目的地設定
２０４  ルート案内開始
２１１  メモリ地点登録部
２１２  索引情報使用記憶部
２１３  情報移動部
２１４  保持ホルダ
【図１】
2009288192.tif 000003
【図２】
2009288192.tif 000004
【図３】
2009288192.tif 000005
【図４】
2009288192.tif 000006
【図５】
2009288192.tif 000007
【図６】
2009288192.tif 000008
【図７】
2009288192.tif 000009
【図８】
2009288192.tif 000010
【図９】
2009288192.tif 000011
【図１０】
2009288192.tif 000012
【図１１】
2009288192.tif 000013
【図１２】
2009288192.tif 000014
【図１３】
2009288192.tif 000015
【図１４】
2009288192.tif 000016
【図１５】
2009288192.tif 000017
【図１６】
2009288192.tif 000018